(57)【要約】【課題】  床下配線システムが複数の電源系統を含む場合に、配線用器具に対する電源系統の設定やその変更をより容易に行う。【解決手段】  電源タップ５に、各電源系統を識別するための識別具１１，１２を着脱可能に装着した。また、識別具１２には、電源系統を示す表示要素を付与した。【選択図】      図３
2006204045.tif 000002
【特許請求の範囲】
【請求項１】
配線用器具によって電気製品に電源を供給する複数の電源系統を形成した床下配線システムにおいて、
前記配線用器具に、電源系統を識別するための識別具を着脱可能に装着したことを特徴とする床下配線システム。
【請求項２】
前記識別具に、電源系統に応じた色彩を施したことを特徴とする請求項１に記載の床下配線システム。
【請求項３】
前記識別具に、電源系統を示す表示要素を付与したことを特徴とする請求項１または２に記載の床下配線システム。
【請求項４】
請求項１〜３のうちいずれか一つに記載の床下配線システムで用いられる配線用器具であって、
前記識別具を着脱可能に構成されたことを特徴とする配線用器具。
【発明の詳細な説明】
【技術分野】
【０００１】
本発明は、二重床の上床と下床との間に形成される空間に配線を配索してなる床下配線システムに関する。
【背景技術】
【０００２】
コンピュータや、ディスプレイ、プリンタ、卓上灯等、多数の電気製品を使用するオフィスでは、それら電気製品に接続する電源ケーブルや通信ケーブル等の配線を、見栄え良くかつ邪魔にならないように配索するために、床を二重構成とし、その上床と下床との間に形成される空間に配線を配索する場合がある（例えば特許文献１参照）。
【特許文献１】特開平６−７０４２９号公報
【発明の開示】
【発明が解決しようとする課題】
【０００３】
ところで、このような床下配線システムでは、無停電電源装置（ＵＰＳ）に接続された電源ケーブルや、通常の商用電源に接続された電源ケーブル等、電源管理方式や電源供給方式が異なる複数系統の電源ラインが混在する場合がある。
【０００４】
その場合、これら複数系統の電源ラインを区別するために、電源タップ自体を色分けすることが考えられる。
【０００５】
しかしながら、電源タップ自体を色分けしてしまうと、その電源タップは、別の系統のものと内部構造が同一であっても、定められた系統以外には使うことができず、電子機器のレイアウト変更などに伴って配索経路を変更するような場合や、その電源タップを別途再利用するような場合において、不便になることがあった。
【０００６】
そこで、本発明は、複数の電源系統を含む場合に、配線用器具に対する電源系統の設定やその変更が容易な床下配線システムを得ることを目的とする。
【課題を解決するための手段】
【０００７】
請求項１の発明にあっては、配線用器具によって電気製品に電源を供給する複数の電源系統を形成した床下配線システムにおいて、上記配線用器具に、電源系統を識別するための識別具を着脱可能に装着したことを特徴とする。
【０００８】
請求項２の発明にあっては、上記識別具に、電源系統に応じた色彩を施したことを特徴とする。
【０００９】
請求項３の発明にあっては、上記識別具に、電源系統を示す表示要素を付与したことを特徴とする。
【００１０】
請求項４の発明にあっては、床下配線システムで用いられる配線用器具であって、上記識別具を着脱可能に構成されたことを特徴とする。
【発明の効果】
【００１１】
請求項１の発明によれば、上記識別具を用いて、配線用器具に対する電源系統の設定およびその変更をより容易に行うことができる。
【００１２】
請求項２の発明によれば、上記識別具に施された色彩によって電源系統をより容易に識別することができる。
【００１３】
請求項３の発明によれば、上記表示要素によって電源系統をより容易に識別することができる。
【００１４】
請求項４の発明によれば、配線用器具を複数の電源系統で共用することができるため、当該配線用器具を無駄なく使用することができる。
【発明を実施するための最良の形態】
【００１５】
以下、本発明の実施形態について図面を参照しながら詳細に説明する。図１は、本実施形態にかかる床下配線システムの一例を示す斜視図、図２は、床下配線システムで用いられる電源タップの一例を示す斜視図、図３は、図２の電源タップの分解斜視図、図４は、床下配線システムで用いられる電源タップの別の一例を示す斜視図、図５は、図４の電源タップの分解斜視図、図６は、床下配線システムで用いられる電源タップのさらに別の一例を示す斜視図、図７は、図６の電源タップの分解斜視図、図８は、床下配線システムで用いられるジョイントボックスの一例を示す斜視図、図９は、図８のジョイントボックスの分解斜視図である。
【００１６】
本実施形態にかかる床下配線システム１は、下床９と、その下床９上に間隔をあけて設置された上床（フロアパネル）１０との間の空間に、形成されている。この空間は、図１のように下床９上に配列した支柱（図示せず）に上床１０を形成するフロアパネルを載置したり、あるいは、ケーブル配索用の内部空間や凹部を有するボックス状の部材（図示せず）を下床９上に配列したりして形成することができる。なお、図１は、上床１０と下床９との間の空間に電源ラインのみが配索された形態を示しているが、この空間には、ＬＡＮケーブルや電話線等の通信ラインも配索することができる。また、上床１０上には、適宜フロアカーペット等を敷いてもよい。
【００１７】
この床下配線システム１は、二つの電源系統（Ａ系統、Ｂ系統）を備えており、各電源系統毎に、幹線ハーネス３、ジョイントボックス４、ハーネスキャップ８、分岐ケーブル７、電源タップ５、フロアコンセント６等の配線用器具を用いて、電源ラインが構築されている。
【００１８】
電源系統は、用途に応じて任意に定めることができる。具体的には、電源管理方式や電源供給方式に応じて、例えば、無停電電源装置を用いた系統や、電源切替装置を用いた系統、商用電源にそのまま接続される系統等を設定することができる。また、使用者や、使用機器、使用数、機器の消費電力の合計値等に応じて枠組みを設定し、その枠組み毎に電源系統を設定してもよい。
【００１９】
図１の例では、電源系統毎に所謂カスケード接続が採用されている。すなわち、分電盤２から、電源系統毎に、複数のジョイントボックス４が幹線ハーネス３を介して縦続的に接続され、各ジョイントボックス４に、分岐ケーブル７を介して、電源タップ５やフロアコンセント６等の出力用の末端の配線用器具が接続されている。
【００２０】
ジョイントボックス４は、複数のコネクタを備えており、電源（図示せず）に近い側の幹線ハーネス３に、電源から遠い側の幹線ハーネス３および分岐ケーブル７を接続させる中継部として機能する。なお、分岐ケーブル７には、コネクタとしてのハーネスキャップ８が取り付けられている。
【００２１】
分岐ケーブル７の末端側には、電源タップ５やフロアコンセント６等の配線用器具が接続される。なお、電源タップ５に分岐ケーブル７およびハーネスキャップ８を取り付けて一体化しておき、分岐ケーブル７の長さの異なる仕様を複数設定しておくのが便利である。
【００２２】
そして、本実施形態では、配線用器具に、電源系統を識別するための識別具を着脱可能に装着している。以下、その具体例について述べる。
【００２３】
図２および図３は、配線用器具としての電源タップ５に、識別具１１，１２を着脱可能に装着した例である。
【００２４】
識別具１１は、平面視略矩形の枠状に形成されており、電源タップ５の差込ブロック５ａの周囲に形成された平面視略矩形の環状の凹部５ｂに嵌め込まれる（嵌着される）。この場合、識別具１１を樹脂等の弾性を有する部材で形成しておくとともに、適宜、識別具１１と電源タップ５の本体とを係合する係合機構（図示せず）を設けたり、嵌め合い寸法を調整したりして、手指や工具によって識別具１１をより容易に着脱でき、かつより確実に保持されるようにしておくのが好適である。
【００２５】
また、識別具１２は、略矩形の板状に形成されており、電源タップ５の表面（差込口が配置される側の面）に形成された平面視略矩形の浅い凹部５ｃに嵌め込まれる（嵌着される）。この場合、識別具１２を樹脂等の弾性を有する部材で形成しておくとともに、適宜、識別具１２と電源タップ５の本体とを係合する機構（例えば、識別具１２の長手方向両端に形成した爪１２ａと、凹部５ｃの長手方向両端に形成した当該爪１２ａを嵌め込む溝５ｄ等）を設けたり、嵌め合い寸法を調整したりして、手指や工具によって識別具１２をより容易に着脱でき、かつより確実に保持されるようにしておくのが好適である。
【００２６】
これら識別具１１，１２の全体または一部には、電源系統に応じた色彩が施される。具体的には、例えば、無停電電源装置に接続される電源系統の識別具１１，１２は緑色とし、通常の商用電源に接続される電源系統の識別具１１，１２は赤色としておく。この場合、使用者は、赤色の識別具１１，１２が装着された電源タップ５については、電源供給が停止する可能性があることを認識することができ、緑色の識別具１１，１２が装着された電源タップ５については、電源供給が停止する可能性が少ないことを認識することができる。なお、一の電源系統には、一の色を割り当てるため、図２および図３に示す例の場合、識別具１１，１２はいずれも同色となる。
【００２７】
また、識別具１２のように、その表面に、電源系統に対応した表示要素（文字、図柄、模様、刻印等）を付与しておけば、識別性をより一層向上することができる。
【００２８】
そして、識別具１１，１２を電源タップ５に着脱可能としたことで、識別具１１，１２を別色のものに付け替えるだけで、別の電源系統用の電源タップ５として用いることができる。ただし、その付け替えに際しては、電源タップ５の接続元を変更することが必要であることは言うまでもない。
【００２９】
図４および図５は、上記電源タップ５と同様の電源タップ５Ａに、識別具１３を着脱可能に装着した例である。この電源タップ５Ａは、図１に示した床下配線システム１の電源タップ５に替えて装備することができる。
【００３０】
識別具１３は、細長い角棒状に形成されており、電源タップ５Ａの表面の周縁（角部）５ｅに形成された切欠状の凹部５ｆに嵌め込まれる（嵌着される）。この場合、識別具１１を樹脂等の弾性を有する部材で形成しておくとともに、適宜、識別具１３と電源タップ５の本体とを係合する係合機構（図示せず）を設けたり、嵌め合い寸法を調整したりして、手指や工具によって識別具１３をより容易に着脱でき、かつより確実に保持されるようにしておくのが好適である。この例の場合、電源タップ５Ａの表面の長い周縁に沿って細長い識別具１３を複数縦列配置している。こうすることで、一つの長い識別具を設けた場合に比べて、その取り扱いを容易化することができる上、長さが短い場合に比べて電源系統の識別性を向上することができる。また、長さが長い場合に比べて外れにくくなるという利点もある。
【００３１】
この識別具１３についても、上記識別具１１，１２と同様に、電源系統毎に色分けされる。そして、この場合も、識別具１３を電源タップ５Ａに着脱可能としたことで、識別具１３を別色のものに付け替えるだけで、別の電源系統用の電源タップ５Ａとして用いることができるようになる。
【００３２】
図６および図７は、上記電源タップ５，５Ａと同様の電源タップ５Ｂに、識別具１５を着脱可能に装着した例である。この電源タップ５Ｂは、図１に示した床下配線システム１の電源タップ５に替えて装備することができる。
【００３３】
電源タップ５Ｂの表面には、通電状態を示す平面視略矩形の表示灯１４が設けられており、識別具１５は、この表示灯１４のカバーとして構成される。すなわち、識別具１５は、有色透明でありかつ弾性を有する樹脂により形成しておくとともに、適宜識別具１５と電源タップ５Ｂの本体とを係合する機構（例えば、識別具１５の長手方向両端に形成した爪１５ａと、表示灯１４の長手方向両端に隣接して形成した当該爪１５ａを嵌め込む溝１４ａ等）を設けたり、嵌め合い寸法を調整したりして、手指や工具によって識別具１５をより容易に着脱でき、かつより確実に保持されるようにしておくのが好適である。
【００３４】
この識別具１５についても、上記識別具１１〜１３と同様に、電源系統毎に色分けされる。そして、この場合も、識別具１３を電源タップ５Ｂに着脱可能としたことで、識別具１３を別色のものに付け替えるだけで、別の電源系統用の電源タップ５Ｂとして用いることができるようになる。
【００３５】
図８および図９は、上記ジョイントボックス４と同様のジョイントボックス４Ａに、識別具１６を着脱可能に装着できるようにした例である。このジョイントボックス４Ａは、図１に示した床下配線システム１のジョイントボックス４に替えて装備することができる。
【００３６】
識別具１６は、ジョイントボックス４Ａの外表面のカバーとして構成される。すなわち、識別具１６は、弾性を有する樹脂あるいは金属板等により形成しておくとともに、適宜識別具１６とジョイントボックス４Ａの本体とを係合する機構（図示せず）を設けたり、嵌め合い寸法寸法を調整したりして、手指や工具によって識別具１６をより容易に着脱でき、かつより確実に保持されるようにしておくのが好適である。この例では、識別具１６の長手方向両端を折り曲げて一対のアーム部１６ａを形成し、当該一対のアーム部１６ａによって、ジョイントボックス４Ａの一対の側壁４ａを狭持するようにしている。なお、このジョイントボックス４Ａを、貫通穴４ｂに挿通させたネジ（図示せず）によって何らかの固定部材にネジ止めする場合には、当該ネジを識別具１６に設けられた貫通穴１６ｂにも挿通させ、識別具１６を共締めするのが好適である。
【００３７】
この識別具１６についても、上記識別具１１〜１３，１５と同様に、電源系統毎に色分けされる。そして、この場合も、識別具１６をジョイントボックス４Ａに着脱可能としたことで、識別具１６を別色のものに付け替えるだけで、別の電源系統用のジョイントボックス４Ａとして用いることができるようになる。
【００３８】
さらに、図８に示すように、ハーネスキャップ８の近傍で分岐ケーブル７を狭持する識別具１７を用いた場合、予め、識別具１７を電源タップの識別具と同色としておけば、当該電源タップの識別具を確認することなく、識別具１６と識別具１７との色を一致させるだけで、ジョイントボックス４Ａから電源タップに至る電源ラインを、より容易に構築することができる。かかる構成は、分岐ケーブル７の長さが長い場合には、特に有効である。なお、この識別具１７としては、分岐ケーブル７に装着されるブッシングや、着脱自在なノイズフィルタ等を用いることができる。
【００３９】
なお、識別具１６，１７に対しても、電源系統を示す表示要素を付与しておくことができる。
【００４０】
以上の本実施形態によれば、着脱可能な識別具１１〜１３，１５〜１７を用いて、各種配線用器具に対する電源系統の設定およびその変更をより容易に行うことができる。このため、電子機器のレイアウト変更などに伴う配索経路の変更や、電源タップの再利用を、よりスムーズに実施することができる。また、本実施形態によれば、各種配線用器具を複数の電源系統で共用することができるため、当該配線用器具を無駄なく効率的に使用することができる。
【００４１】
また、本実施形態によれば、識別具１１〜１３，１５を、電源タップ５，５Ａ，５Ｂに取り付けたため、電気製品の差込プラグを、対応する電源系統の電源タップ５，５Ａ，５Ｂの差込口に、より確実に差し込むことができる。
【００４２】
また、本実施形態によれば、識別具１６をジョイントボックス４Ａに取り付けたため、幹線ハーネス３や、分岐ケーブル７、電源タップ５，５Ａ，５Ｂ、フロアコンセント６等を、対応する電源系統のジョイントボックス４Ａに、より確実に接続することができる。
【００４３】
また、本実施形態によれば、識別具１７を、分岐ケーブル７（そのジョイントボックス４Ａに接続される端部）に取り付けたため、当該分岐ケーブル７の末端側に接続される配線用器具の電源系統を確認することなく、当該電源系統の電源ラインをより容易にかつより確実に構築することができる。かかる構成は、分岐ケーブル７が長い場合に特に有効である。
【００４４】
また、分岐ケーブル７に取り付ける識別具１７をブッシングやノイズフィルタとして構成すれば、ブッシングやノイズフィルタと識別具とを別個に設けた場合に比べて、部品点数が減り、製造コストを低減することができる。
【００４５】
また、本実施形態によれば、識別具１１〜１３，１５〜１７に施した色彩により、電源系統をより容易にかつより確実に識別することができる。
【００４６】
さらに、本実施形態によれば、識別具１２，１６，１７に付与した表示要素により、電源系統をより一層確実に識別することができる。
【００４７】
以上、本発明の好適な実施形態を示したが、本発明は上記実施形態には限定されず、種々の変形が可能である。例えば、上記実施形態では、識別具１１〜１３，１５〜１７を、電源タップ５，５Ａ，５Ｂや、ジョイントボックス４Ａ、分岐ケーブル７に着脱可能に取り付けた例を示したが、これには限定されず、例えば、幹線ハーネス３や、ジョイントボックス４、フロアコンセント６、ハーネスキャップ８等、別の配線用器具に着脱可能に装着してもよい。また、ポップアップ型のフロアコンセント等、上記実施形態で開示していない同種の配線用器具に、同様の識別具を装着してもよい。また、電源系統を区別する必要が無い場合には、識別具を装着せずに用いればよい。
【００４８】
また、配線用器具への識別具の取付手法についても上記実施形態には限定されず、例えば、配線用器具の表面に透明なカバーを設けておき、当該表面とカバーとの隙間にプレート状の識別具を狭装するようにしてもよい。また、磁石やテープ等を利用してもよい。
【００４９】
また、電源タップやフロアコンセント等の配線用器具には、電源系統を表示するための表示部（例えばＬＥＤ等）を設けるとともに、スイッチを設け、当該スイッチを切り替えることで、表示部の表示形態（例えば点灯位置や、点灯色等）を電源系統に対応させて変更するようにしてもよい。
【００５０】
また、ハーネスの接続形態についても、図１のものには限定されず、種々の接続形態をとりうる。
【図面の簡単な説明】
【００５１】
【図１】本発明の実施形態にかかる床下配線システムの一例を示す斜視図。
【図２】本発明の実施形態にかかる床下配線システムで用いられる電源タップの一例を示す斜視図。
【図３】図２の電源タップの分解斜視図。
【図４】本発明の実施形態にかかる床下配線システムで用いられる電源タップの別の一例を示す斜視図。
【図５】図４の電源タップの分解斜視図。
【図６】本発明の実施形態にかかる床下配線システムで用いられる電源タップのさらに別の一例を示す斜視図。
【図７】図６の電源タップの分解斜視図。
【図８】本発明の実施形態にかかる床下配線システムで用いられるジョイントボックスの一例を示す斜視図。
【図９】図８のジョイントボックスの分解斜視図。
【符号の説明】
【００５２】
１  床下配線システム
３  幹線ハーネス（配線用器具）
４，４Ａ  ジョイントボックス（配線用器具）
５，５Ａ，５Ｂ  電源タップ（配線用器具）
６  フロアコンセント（配線用器具）
７  分岐ケーブル（配線用器具）
８  ハーネスキャップ（配線用器具）
１１〜１３，１５〜１７  識別具
【図１】
2006204045.tif 000003
【図２】
2006204045.tif 000004
【図３】
2006204045.tif 000005
【図４】
2006204045.tif 000006
【図５】
2006204045.tif 000007
【図６】
2006204045.tif 000008
【図７】
2006204045.tif 000009
【図８】
2006204045.tif 000010
【図９】
2006204045.tif 000011